(57)【要約】【課題】高い精度で位置合わせを行った状態で、面全体を略均一に加圧することができる。【解決手段】略板状の第１吸着部が略板状の第１部材を吸着し、第１吸着部の鉛直方向上側に設けられた略板状の第２吸着部が透明な略板状の第２部材を吸着し、これらを貼り合わせる。第２吸着部は両端が覆われた略筒状の部材であり、第２吸着部の下側の面は厚さ方向に貫通する孔が形成された透明な吸着パッドであり、吸引口から空気を吸引することで第２部材が吸着パッドに吸着される。第２吸着部の上側の面は少なくとも一部が透明部材で形成されており、第２吸着部の鉛直方向上側に設けられた撮像部は、透明部材及び吸着パッドを介して第１部材及び／又は第２部材を撮像する。【選択図】  図５
2020202252.tif 000002
【特許請求の範囲】
【請求項１】
略板状の第１部材と透明な略板状の第２部材とを貼り合わせる貼り合わせ装置であって、
前記第１部材を吸着する略板状の第１吸着部と、
前記第１吸着部の鉛直方向上側に設けられた第２吸着部であって、前記第２部材を吸着する略板状の第２吸着部と、
前記第１吸着部又は前記第２吸着部を上下方向に移動させる第１移動部と、
前記第１吸着部を水平方向に移動させる第２移動部と、
前記第２吸着部の鉛直方向上側に設けられた撮像部と、
を備え、
前記第２吸着部は、両端が覆われた略筒状の部材であり、空気を吸引する吸引口が設けられており、
前記第２吸着部の上側の面は、少なくとも一部が透明部材で形成されており、
前記第２吸着部の下側の面は、厚さ方向に貫通する孔が形成された透明な吸着パッドであり、
前記撮像部は、前記透明部材及び前記吸着パッドを介して前記第１部材及び／又は前記第２部材を撮像する
ことを特徴とする貼り合わせ装置。
【請求項２】
前記第１部材及び前記第２部材は、一方に複数のＬＥＤが形成されており、他方に接続パターンが形成されており、
電源に接続された複数のプローブを備え、
前記プローブは、前記接続パターンに当接する位置と当接しない位置との間で上下方向に移動可能である
ことを特徴とする請求項１に記載の貼り合わせ装置。
【請求項３】
前記第２吸着部を水平方向に移動させる第３移動部を備え、
前記第３移動部は、略筒状の部材であり、前記第２吸着部の鉛直方向上側に設けられている
ことを特徴とする請求項１又は２に記載の貼り合わせ装置。
【請求項４】
前記撮像部及び前記第２吸着部を保持する略柱状の取付部と、
高さが前記撮像部と前記第２吸着部との間に位置するように前記取付部に設けられた光照射部と、
前記撮像部の光路と重なる位置と重ならない位置との間で水平方向に移動可能に設けられたミラーと、
を備えたことを特徴とする請求項１から３のいずれか一項に記載の貼り合わせ装置。
【請求項５】
前記撮像部で前記第２吸着部及び前記第２部材を介して前記第１部材を撮像して観察しながら前記第２移動部を制御して前記第１吸着部を移動させる第１制御部を備えた
ことを特徴とする請求項１から４のいずれか一項に記載の貼り合わせ装置。
【請求項６】
前記プローブを上下方向に移動させる第４移動部と、
前記第１移動部を制御して前記第１部材と前記第２部材とを加圧し、当該加圧した状態のまま前記第４移動部を制御して前記プローブを前記接続パターンに当接させる第２制御部と、
を備えたことを特徴とする請求項２に記載の貼り合わせ装置。
【請求項７】
略板状の第１吸着部に板状の第１部材を載置し、前記第１吸着部の鉛直方向上側に設けられた透明な略板状の第２吸着部に透明な板状の第２部材を吸着して、前記第１部材と前記第２部材とを略平行に配置する工程と、
前記第２吸着部の鉛直方向上側に設けられた撮像部で前記第２吸着部及び前記第２部材を介して前記第１部材を撮像して観察しながら前記第１部材を水平方向に移動させて、前記第１部材と前記第２部材との位置合わせを行う工程と、
前記第１部材と前記第２部材とを加圧する工程と、
を有することを特徴とする貼り合わせ方法。
【請求項８】
前記第１部材及び前記第２部材は、一方に複数のＬＥＤが形成されており、他方に接続パターンが形成されており、
前記第１部材及び／又は前記第２部材には、接着剤が塗布されており、
前記第１部材と前記第２部材とを加圧したままプローブを移動して、前記接続パターンに前記プローブを当接して前記ＬＥＤを点灯させる工程と、
前記撮像部で前記第１部材及び前記第２部材を撮像し、当該撮像された画像で前記ＬＥＤの点灯を確認する工程と、
前記ＬＥＤがすべて点灯している場合に、前記接着剤を硬化させる工程と、
を有することを特徴とする請求項７に記載の貼り合わせ方法。
【請求項９】
前記第１吸着部に前記第２部材を載置する工程と、
前記撮像部で前記第２吸着部を介して前記第２部材を撮像して観察しながら前記第１吸着部を水平方向に移動させる工程と、
前記第２吸着部で前記第２部材を吸着する工程と、
前記第１吸着部に前記第１部材を載置する工程と、
により、前記第１部材と前記第２部材とを略平行に配置する
ことを特徴とする請求項７又は８に記載の貼り合わせ方法。
【請求項１０】
一方に複数のＬＥＤが形成されており、他方に接続パターンが形成されている略板状の第１部材及び透明な略板状の第２部材を貼り合わせる貼り合わせ工程を含む表示装置の製造方法であって、
前記貼り合わせ工程は、
略板状の第１吸着部に前記第１部材を載置し、前記第１吸着部の鉛直方向上側に設けられた透明な略板状の第２吸着部に前記第２部材を吸着して、前記第１部材と前記第２部材とを略平行に配置する工程と、
前記第２吸着部の鉛直方向上側に設けられた撮像部で前記第２吸着部及び前記第２部材を介して前記第１部材を撮像して観察しながら前記第１部材を水平方向に移動させて、前記第１部材と前記第２部材との位置合わせを行う工程と、
前記第１部材と前記第２部材とを加圧する工程と、
を有することを特徴とする表示装置の製造方法。
【請求項１１】
前記第１部材及び／又は前記第２部材には、接着剤が塗布されており、
前記貼り合わせ工程は、
前記第１部材と前記第２部材とを加圧したままプローブを移動して、前記接続パターンに前記プローブを当接して前記ＬＥＤを点灯させる工程と、
前記撮像部で前記第１部材及び前記第２部材を撮像し、当該撮像された画像で前記ＬＥＤの点灯を確認する工程と、
前記ＬＥＤがすべて点灯している場合に、前記接着剤を硬化させる工程と、
を有することを特徴とする請求項１０に記載の表示装置の製造方法。
【請求項１２】
前記第１吸着部に前記第２部材を載置する工程と、
前記撮像部で前記第２吸着部を介して前記第２部材を撮像して観察しながら前記第１吸着部を水平方向に移動させる工程と、
前記第２吸着部で前記第２部材を吸着する工程と、
前記第１吸着部に前記第１部材を載置する工程と、
により、前記第１部材と前記第２部材とを略平行に配置する
ことを特徴とする請求項１０又は１１に記載の表示装置の製造方法。
【発明の詳細な説明】
【技術分野】
【０００１】
本発明は、貼り合わせ装置、貼り合わせ方法及び表示装置の製造方法に関する。
【背景技術】
【０００２】
特許文献１には、転写基板と仮保持基板を対向する状態で支持する基板保持部と、転写基板のアライメントマークを撮像し、かつ転写基板を通して仮保持基板のアライメントマークを撮像する撮像カメラと、転写基板と仮保持基板の位置を合わせる位置合わせ手段と、仮保持基板が転写基板側に凸の湾曲状態となる方向で仮保持基板を加圧する加圧手段と、を有する素子転写装置が開示されている。
【先行技術文献】
【特許文献】
【０００３】
【特許文献１】特開２００９−２９５８５３号公報
【発明の概要】
【発明が解決しようとする課題】
【０００４】
特許文献１に記載の発明では、転写基板側に凸の湾曲状態となる方向で仮保持基板が加圧されるため、転写基板も湾曲状態になる。そのため、ＬＥＤが形成されたウェハと回路基板とを貼り合わせる工程を行う際に特許文献１に記載の発明を用いようとすると、面全体を略均一に加圧することができず、ＬＥＤの破壊、ＬＥＤの不均一な点灯やウェハの割れが生じるおそれがある。
【０００５】
本発明はこのような事情に鑑みてなされたもので、高い精度で位置合わせを行った状態で、面全体を略均一に加圧することができる貼り合わせ装置、貼り合わせ方法及び表示装置の製造方法を提供することを目的とする。
【課題を解決するための手段】
【０００６】
上記課題を解決するために、本発明に係る貼り合わせ装置は、例えば、略板状の第１部材と透明な略板状の第２部材とを貼り合わせる貼り合わせ装置であって、前記第１部材を吸着する略板状の第１吸着部と、前記第１吸着部の鉛直方向上側に設けられた第２吸着部であって、前記第２部材を吸着する略板状の第２吸着部と、前記第１吸着部又は前記第２吸着部を上下方向に移動させる第１移動部と、前記第１吸着部を水平方向に移動させる第２移動部と、前記第２吸着部の鉛直方向上側に設けられた撮像部と、を備え、前記第２吸着部は、両端が覆われた略筒状の部材であり、空気を吸引する吸引口が設けられており、前記第２吸着部の上側の面は、少なくとも一部が透明部材で形成されており、前記第２吸着部の下側の面は、厚さ方向に貫通する孔が形成された透明な吸着パッドであり、前記撮像部は、前記透明部材及び前記吸着パッドを介して前記第１部材及び／又は前記第２部材を撮像することを特徴とする。
【０００７】
本発明に係る貼り合わせ装置によれば、略板状の第１吸着部が略板状の第１部材を吸着し、第１吸着部の鉛直方向上側に設けられた略板状の第２吸着部が透明な略板状の第２部材を吸着し、これらを貼り合わせる。第２吸着部は両端が覆われた略筒状の部材であり、第２吸着部の下側の面は厚さ方向に貫通する孔が形成された透明な吸着パッドであり、吸引口から空気を吸引することで第２部材が吸着パッドに吸着される。第２吸着部の上側の面は少なくとも一部が透明部材で形成されており、第２吸着部の鉛直方向上側に設けられた撮像部は、透明部材、吸着パッドを介して第１部材及び／又は第２部材を撮像する。撮像部が第１部材や第２部材を直接観察することにより、高い精度で位置合わせを行うことができる。また、略板状の第１吸着部及び第２吸着部で第１部材及び第２部材を挟むことで、面全体を略均一に加圧することができる。
【０００８】
ここで、前記第１部材及び前記第２部材は、一方に複数のＬＥＤが形成されており、他方に接続パターンが形成されており、電源に接続された複数のプローブを備え、前記プローブは、前記接続パターンに当接する位置と当接しない位置との間で上下方向に移動可能であってもよい。これにより、貼り合わせ装置でＬＥＤの点灯確認を行うことができる。
【０００９】
ここで、前記第２吸着部を水平方向に移動させる第３移動部を備え、前記第３移動部は、略筒状の部材であり、前記第２吸着部の鉛直方向上側に設けられていてもよい。これにより、撮像部が第３移動部、透明部材及び吸着パッドを介して第１部材及び／又は第２部材を撮像することができる。
【００１０】
ここで、前記撮像部及び前記第２吸着部を保持する略柱状の取付部と、高さが前記撮像部と前記第２吸着部との間に位置するように前記取付部に設けられた光照射部と、前記撮像部の光路と重なる位置と重ならない位置との間で水平方向に移動可能に設けられたミラーと、を備えてもよい。これにより、光硬化性樹脂を用いて第１部材と第２部材とを接続することができる。
【００１１】
ここで、前記撮像部で前記第２吸着部及び前記第２部材を介して前記第１部材を撮像して観察しながら前記第２移動部を制御して前記第１吸着部を移動させる第１制御部を備えてもよい。これにより、高い精度で位置合わせを行うことができる。
【００１２】
ここで、前記プローブを上下方向に移動させる第４移動部と、前記第１移動部を制御して前記第１部材と前記第２部材とを加圧し、当該加圧した状態のまま前記第４移動部を制御して前記プローブを前記接続パターンに当接させる第２制御部と、を備えてもよい。このように、第１部材及び第２部材を接続する前にＬＥＤの点灯を確認することで、ＬＥＤが点灯しなかった場合に第１部材と第２部材とを分離し、不具合を修正することができる。そのため、製造時の歩留まりを向上させることができる。
【００１３】
上記課題を解決するために、本発明に係る貼り合わせ方法は、例えば、略板状の第１吸着部に板状の第１部材を載置し、前記第１吸着部の鉛直方向上側に設けられた透明な略板状の第２吸着部に透明な板状の第２部材を吸着して、前記第１部材と前記第２部材とを略平行に配置する工程と、前記第２吸着部の鉛直方向上側に設けられた撮像部で前記第２吸着部及び前記第２部材を介して前記第１部材を撮像して観察しながら前記第１部材を水平方向に移動させて、前記第１部材と前記第２部材との位置合わせを行う工程と、前記第１部材と前記第２部材とを加圧する工程と、を有することを特徴とする。これにより、高い精度で位置合わせを行った状態で、面全体を略均一に加圧することができる。
【００１４】
ここで、前記第１部材及び前記第２部材は、一方に複数のＬＥＤが形成されており、他方に接続パターンが形成されており、前記第１部材及び／又は前記第２部材には、接着剤が塗布されており、前記第１部材と前記第２部材とを加圧したままプローブを移動して、前記接続パターンに前記プローブを当接して前記ＬＥＤを点灯させる工程と、前記撮像部で前記第１部材及び前記第２部材を撮像し、当該撮像された画像で前記ＬＥＤの点灯を確認する工程と、前記ＬＥＤがすべて点灯している場合に、前記接着剤を硬化させる工程と、を有してもよい。このように、第１部材及び第２部材を接続する前にＬＥＤの点灯を確認することで、ＬＥＤが点灯しなかった場合に第１部材と第２部材とを分離し、不具合を修正することができる。そのため、製造時の歩留まりを向上させることができる。
【００１５】
ここで、前記第１吸着部に前記第２部材を載置する工程と、前記撮像部で前記第２吸着部を介して前記第２部材を撮像して観察しながら前記第１吸着部を水平方向に移動させる工程と、前記第２吸着部で前記第２部材を吸着する工程と、前記第１吸着部に前記第１部材を載置する工程と、により、前記第１部材と前記第２部材とを略平行に配置してもよい。これにより、１つの撮像部で第１部材や第２部材を直接観察しながらアライメントを行うことができる。その結果、高い精度で位置合わせを行うことができる。
【００１６】
上記課題を解決するために、本発明に係る表示装置の製造方法は、例えば、一方に複数のＬＥＤが形成されており、他方に接続パターンが形成されている略板状の第１部材及び透明な略板状の第２部材を貼り合わせる貼り合わせ工程を含む表示装置の製造方法であって、前記貼り合わせ工程は、略板状の第１吸着部に前記第１部材を載置し、前記第１吸着部の鉛直方向上側に設けられた透明な略板状の第２吸着部に前記第２部材を吸着して、前記第１部材と前記第２部材とを略平行に配置する工程と、前記第２吸着部の鉛直方向上側に設けられた撮像部で前記第２吸着部及び前記第２部材を介して前記第１部材を撮像して観察しながら前記第１部材を水平方向に移動させて、前記第１部材と前記第２部材との位置合わせを行う工程と、前記第１部材と前記第２部材とを加圧する工程と、を有することを特徴とする。
【００１７】
ここで、前記第１部材及び／又は前記第２部材には、接着剤が塗布されており、前記貼り合わせ工程は、前記第１部材と前記第２部材とを加圧したままプローブを移動して、前記接続パターンに前記プローブを当接して前記ＬＥＤを点灯させる工程と、前記撮像部で前記第１部材及び前記第２部材を撮像し、当該撮像された画像で前記ＬＥＤの点灯を確認する工程と、前記ＬＥＤがすべて点灯している場合に、前記接着剤を硬化させる工程と、を有してもよい。
【００１８】
ここで、前記第１吸着部に前記第２部材を載置する工程と、前記撮像部で前記第２吸着部を介して前記第２部材を撮像して観察しながら前記第１吸着部を水平方向に移動させる工程と、前記第２吸着部で前記第２部材を吸着する工程と、前記第１吸着部に前記第１部材を載置する工程と、により、前記第１部材と前記第２部材とを略平行に配置してもよい。
【発明の効果】
【００１９】
本発明によれば、高い精度で位置合わせを行った状態で、面全体を略均一に加圧することができる。
【図面の簡単な説明】
【００２０】
【図１】本発明の製造装置や製造方法を用いて製造される表示装置１の概略を示す図である。
【図２】表示装置１の概略を示す部分断面図である。
【図３】表示装置１の製造方法を模式的に示す図である。
【図４】表示装置１の製造方法を模式的に示す図である。
【図５】貼り合わせ装置２の概略を示す図である。
【図６】吸着部６９の概略を示す図であり、（Ａ）は側面図であり（Ｂ）は底面図である。
【図７】吸着パッド６２にウェハ２５が吸着された様子を模式的に示す図である。
【図８】撮像部７１及び取付部７２の概略を示す図であり、（Ａ）は正面図であり、（Ｂ）は側面図である。
【図９】貼り合わせ装置２の電気的な構成を示すブロック図である。
【図１０】貼り合わせ工程の処理の流れを示すフローチャートである。
【図１１】貼り合わせ工程を模式的に示す図である。
【図１２】貼り合わせ工程におけるプローブ８１の位置を模式的に示す図である。
【図１３】貼り合わせ装置３の概略を示す図である。
【図１４】貼り合わせ工程の処理の流れを示すフローチャートである。
【図１５】貼り合わせ工程を模式的に示す図である。
【発明を実施するための形態】
【００２１】
以下、本発明の実施形態を、図面を参照して詳細に説明する。
【００２２】
＜第１の実施の形態＞
図１は、本発明の製造装置や製造方法を用いて製造される表示装置１の概略を示す図である。表示装置１は、複数のマイクロＬＥＤがマトリクス状に配置されたフルカラーＬＥＤ表示パネルであり、映像をカラー表示するものである。
【００２３】
図１は、表示装置１の概略を示す平面図である。表示装置１は、略板状の回路基板である回路基板１０に複数のＬＥＤ２０が配置されている。ＬＥＤ２０は、略５０μｍ×略５０μｍ以下の大きさの超小型のＬＥＤであり、例えば紫外光（波長が３８５ｎｍ）を発光する。ＬＥＤ２０の構造はすでに公知であるため、詳細な説明を省略する。
【００２４】
ＬＥＤ２０は、縦方向、横方向に連続して並んでいる。ＬＥＤ２０の上側には、赤色蛍光発光層３０Ｒ、緑色蛍光発光層３０Ｇ及び青色蛍光発光層３０Ｂを有する蛍光発光層３０が設けられている。
【００２５】
図２は、表示装置１の概略を示す部分断面図である。回路基板１０は、透光基板であり、例えばサファイアガラスを用いて形成される。回路基板１０には、ＬＥＤ２０が接続される接続パターン１２（図３参照）を有する配線パターン１１が設けられている。配線パターン１１にはＬＥＤ２０が接着されており、配線パターン１１上の接続パターン１２とＬＥＤ２０のｐ電極２２およびｎ電極２３とが電気的に接続されている。
【００２６】
ＬＥＤ２０を覆うように平坦化膜３２が設けられており、平坦化膜３２の上側には、蛍光発光層３０と、蛍光発光層３０を隔てる隔壁３１とが設けられている。隔壁３１の表面には、混色を防止する金属膜（図示省略）が設けられている。
【００２７】
各ＬＥＤ２０がサブピクセルとなり、Ｒ、Ｇ、Ｂの３色のサブピクセルが１画素を構成する。本実施の形態では、サブピクセルがストライプ配列（図１参照）されているが、サブピクセルの配列はモザイク配列、デルタ配列等でもよい。
【００２８】
配線パターン１１には、駆動回路４０が電気的に接続されている。駆動回路４０は、駆動信号を各ＬＥＤ２０に供給し、各ＬＥＤ２０をそれぞれオン／オフ駆動して点灯／消灯する。
【００２９】
図３、４は、表示装置１の製造方法を模式的に示す図である。
＜工程１＞  図３（Ａ）に示すように、配線パターン１１や接続パターン１２（図示省略）が形成された回路基板１０を製作する。回路基板１０は、略板状の部材である。回路基板１０は透明であってもよいし、透明でなくてもよい。
【００３０】
＜工程２＞  図３（Ｂ）に示すように、配線パターン１１やＬＥＤ２０を接続するための接続パターン１２の上に接着剤４１を塗布する。接着剤４１は、配線パターン１１及び接続パターン１２に塗布してもよいし、配線パターン１１か接続パターン１２のどちらか一方に塗布してもよい。接着剤４１には、導電性を有する樹脂、例えばカーボンや金属（例えば、銀）を混ぜた樹脂を用いることが望ましい。この接着剤を塗布する工程は、コーター等を用いて配線パターン１１上に接着剤を塗布する工程と、略９０℃で２分程度加熱して溶液を蒸発させるプリベーク工程と、回路基板１０の上にマスク１０１を載置してアライメントする工程と、常温下で露光して光で接着剤を硬化させ（仮硬化）、接着剤にマスク１０１のパターンを転写する露光工程と、硬化していない接着剤を除去する現像工程と、を有する。
【００３１】
＜工程３＞  図３（Ｃ）に示すように、複数のＬＥＤ２０が形成された透明な略板状のウェハ２５と、接着剤が塗布された回路基板１０とを貼り合わせて、ＬＥＤ２０を接続パターン上に固定する。当該貼り合わせ工程については、後に詳述する。
【００３２】
＜工程４＞  回路基板１０にＬＥＤ２０が固定されたら、図３（Ｄ）に示すように、ＬＥＤ２０を覆うように平坦化膜３２を形成する。この平坦化膜形成工程は、コーター等を用いて配線パターン１１上に平坦化膜３２の材料を塗布する工程と、加熱して溶液を蒸発させるプリベーク工程と、回路基板１０の上にマスク１０２を載置してアライメントする工程と、常温下で露光して平坦化膜３２を硬化させる露光工程と、硬化していない平坦化膜の材料を除去する現像工程と、水分等を除去するポストベーク工程と、を有する。
【００３３】
＜工程５＞  図３（Ｅ）に示すように、平坦化膜３２の上側に隔壁３１を形成する。この隔壁形成工程は、コーター等を用いて配線パターン１１上に隔壁３１の材料を塗布する工程と、加熱して溶液を蒸発させるプリベーク工程と、回路基板１０の上にマスク１０３を載置してアライメントする工程と、常温下で露光して隔壁３１を硬化させる露光工程と、硬化していない隔壁の材料を除去する現像工程と、水分等を除去するポストベーク工程と、を有する。
【００３４】
＜工程６＞  図３（Ｆ）に示すように、工程５で形成した隔壁３１にメッキ処理を行い、隔壁３１及び平坦化膜３２の表面に金属膜３３を形成する。メッキ処理は、例えば無電解Ｎｉメッキ処理などを採用することができる。
【００３５】
＜工程７＞  図３（Ｇ）に示すように、工程６で形成した金属膜３３のうち、平坦化膜３２の表面に形成された金属膜３３を除去する。本実施の形態では、レーザー加工により金属膜を除去する。
【００３６】
＜工程８＞  図４（Ａ）に示すように、隔壁３１の間に赤色の蛍光色素（顔料又は染料）を含有する蛍光発光レジストを充填及び硬化し、赤色蛍光発光層３０Ｒを形成する。赤色蛍光発光層３０Ｒ形成工程は、スキージを用いて蛍光発光レジストを隔壁３１の間に充填する工程と、加熱して溶液を蒸発させるプリベーク工程と、回路基板１０の上にマスク１０４を載置してアライメントする工程と、常温下で露光して赤色蛍光発光層３０Ｒを硬化させる露光工程と、硬化していない蛍光発光レジストを除去する現像工程と、水分等を除去するポストベーク工程と、を有する。
【００３７】
＜工程９＞  図４（Ｂ）に示すように、隔壁３１の間に緑色の蛍光色素を含有する蛍光発光レジストを充填及び硬化し、緑色蛍光発光層３０Ｇを形成する。緑色蛍光発光層３０Ｇ形成工程は、マスク１０５を用いる点以外は赤色蛍光発光層３０Ｒ形成工程と略同一であるため、説明を省略する。
【００３８】
＜工程１０＞  図４（Ｃ）に示すように、隔壁３１の間に青色の蛍光色素を含有する蛍光発光レジストを充填及び硬化し、青色蛍光発光層３０Ｂを形成する。青色蛍光発光層３０Ｂ形成工程は、マスク１０６を用いる点以外は赤色蛍光発光層３０Ｒ形成工程と略同一であるため、説明を省略する。
【００３９】
＜工程１１＞  図４（Ｄ）に示すように、配線パターン１１にリジットフレキシブル基板４３を実装する。なお、リジットフレキシブル基板以外の基板を配線パターン１１に実装してもよい。
【００４０】
＜工程１２＞  図４（Ｅ）に示すように、リジットフレキシブル基板４３に駆動回路４０を接続する。これにより、駆動回路４０からの駆動信号が配線パターン１１を介してＬＥＤ２０に伝達され、表示装置１として機能するようになる。
【００４１】
次に、ウェハ２５と回路基板１０とを貼り合わせて、ＬＥＤ２０と配線パターン１１とを電気的に接続する貼り合わせ工程（工程３）で用いる貼り合わせ装置について説明する。図５は、貼り合わせ装置２の概略を示す図である。図５では、鉛直方向をＺ方向とし、Ｚ方向と略直交する方向をＸ方向及びＹ方向とする。Ｘ方向及びＹ方向は略直交する。
【００４２】
貼り合わせ装置２は、主として、ステージ５０と、吸着ステージ６０と、撮像部７１と、プローブ８１と、支持フレーム９０と、を有する。
【００４３】
支持フレーム９０は、貼り合わせ装置２の外側を覆う略箱状の筐体である。支持フレーム９０の内部には、ステージ５０、吸着ステージ６０、検査部８０等が設けられる。
【００４４】
ステージ５０は、主として、ヒートステージ５１（第１吸着部に相当）と、チルトステージ５２と、θステージ５３と、ＸＹステージ５４と、Ｚ移動部５５と、を有する。
【００４５】
ヒートステージ５１は、略板状（ここでは、略厚板状）の部材であり、上面５１ａに回路基板１０が載置される。ヒートステージ５１には、上面５１ａに開口する孔（図示省略）が形成されており、この孔に接続された空気吸引装置９１（図９参照）により空気を吸引することで、上面５１ａに回路基板１０を吸着して固定する。なお、ヒートステージ５１に多孔質材を用いてもよい。
【００４６】
また、ヒートステージ５１は、加熱部（図示省略）を有する。加熱部は、ヒートステージ５１全体を一定温度（例えば、略１２０度や略２００度以上）に保つ。
【００４７】
チルトステージ５２、θステージ５３及びＸＹステージ５４は、ヒートステージ５１とＺ移動部５５との間に設けられている。チルトステージ５２は、ヒートステージ５１をＸ軸、Ｙ軸周りに回動させる（ヒートステージ５１を傾ける）。θステージ５３は、ヒートステージ５１をｚ軸周りに回動させる。ＸＹステージ５４は、ヒートステージ５１をＸ方向、Ｙ方向に沿って平行移動させる。Ｚ移動部５５は、ヒートステージ５１、チルトステージ５２、θステージ５３及びＸＹステージ５４をｚ軸に沿って平行移動させる。チルトステージ５２、θステージ５３、ＸＹステージ５４及びＺ移動部５５はすでに公知の技術を用いることができるため、説明を省略する。
【００４８】
吸着ステージ６０は、ステージ５０の鉛直方向上側（＋Ｚ側）に設けられている。吸着ステージ６０は、主として、円筒形ブラケット６１と、吸着パッド６２と、カバーガラス６３と、チルトステージ６４と、θステージ６５と、を有する。
【００４９】
円筒形ブラケット６１、吸着パッド６２及びカバーガラス６３は、ウェハ２５を吸着する吸着部６９（第２吸着部に相当）であり、両端が覆われた略筒状の部材である。なお、本発明において、略筒状とは、中空の棒材であり、略円筒形状、略角筒形状等を含む概念である。また、略筒状には、側面に突起部やくぼみ部があるものも含まれる。略筒状の部材には、側面と上面又は側面と底面の境界が丸みをおび、境界が明確に区別できないものも含まれる。また、略筒状の部材には、中空部にリブや柱材などの補強材が入っているものも含まれる。
【００５０】
図６は、吸着部６９の概略を示す図であり、（Ａ）は側面図であり（Ｂ）は底面図である。図６（Ａ）では、一部を断面表示している。
【００５１】
円筒形ブラケット６１は、高い強度を保つため、アルミニウム、鉄等の金属で形成されている。円筒形ブラケット６１は略筒状であり、円筒形ブラケット６１の両端を吸着パッド６２及びカバーガラス６３が覆う。
【００５２】
吸着パッド６２は、透明な略板状の部材であり、円筒形ブラケット６１の下側の端を覆う。吸着パッド６２には、厚さ方向（Ｚ方向）に貫通する孔６２ａが形成されている。この吸着のための孔６２ａは、１つでもよいし、複数でもよい。
【００５３】
吸着パッド６２の材質の例としては、ガラスや樹脂があげられる。吸着パッド６２は全体が透明なほうが好ましいが、一部不透明な部分があってもよい。例えば、吸着パッド６２は、ガラスとゴムなど複数の材料を組み合わせたものでもよい。また、吸着パッド６２は、必ずしも全体が透明でなくてもよく、撮像部７１がアライメントマークもしくはアライメントに必要な回路基板１０やウェハ２５の一部を撮像するのに必要な部分さえ透明であればよい。
【００５４】
カバーガラス６３は、円筒形ブラケット６１の上側の面を覆う透明部材である。カバーガラス６３の材質は、透明な樹脂でもよいが、ガラスが好ましい。円筒形ブラケット６１の上端側に凹部６１ａが形成されており、凹部６１ａの内部にカバーガラス６３が取り付けられることでカバーガラス６３が円筒形ブラケット６１の上端面を覆う。言い換えれば、吸着部６９の上側の面は、少なくとも一部が透明部材で形成されている。
【００５５】
円筒形ブラケット６１の側面には、空気吸引装置９２（図９参照）に接続される真空吸着用接手６８が設けられている。円筒形ブラケット６１の両端面は吸着パッド６２及びカバーガラス６３により覆われているため、空気吸引装置９２が真空吸着用接手６８を介して吸着部６９内部の空気を吸引することで、図７に示すように、吸着パッド６２の底面６２ｂにウェハ２５が吸着される。
【００５６】
図５の説明に戻る。チルトステージ６４及びθステージ６５は、吸着部６９の鉛直方向上側に設けられており、吸着部６９を水平方向に移動させる。具体的には、チルトステージ６４は、吸着部６９をＸ軸、Ｙ軸周りに回動させる（吸着部６９を傾ける）。また、θステージ５３は、吸着部６９をｚ軸周りに回動させる。チルトステージ６４及びθステージ６５はすでに公知の技術を用いることができるため、説明を省略する。なお、本発明における水平方向の移動には、平行移動のみでなく、チルト動作、回動動作を含むものとする。
【００５７】
撮像部７１は、回路基板１０とウェハ２５との位置を合わせるための画像を撮像するカメラである。撮像部７１は、拡大観察できるようにズーム光学系が設けられており、倍率を変更することができる。撮像部７１は、一般的なカメラを用いることができるため、説明を省略する。撮像部７１は、略柱状の取付部７２によって、吸着部６９の鉛直方向上側に設けられている。
【００５８】
図８は、撮像部７１及び取付部７２の概略を示す図であり、（Ａ）は正面図であり、（Ｂ）は側面図である。図８（Ａ）、（Ｂ）では、一部を断面表示している。
【００５９】
取付部７２は、撮像部７１をＸ方向、Ｙ方向及びＺ方向に移動可能に保持する（図８白抜き矢印参照）。これにより、撮像部７１は、吸着パッド６２に吸着したウェハ２５の全領域を観察することができる。
【００６０】
また、取付部７２は、撮像部７１の鉛直方向下側（−Ｚ側）に吸着ステージ６０を保持する。
【００６１】
チルトステージ６４及びθステージ６５は、略筒状である。また、吸着部６９の上下面（吸着パッド６２及びカバーガラス６３）は透明である。したがって、撮像部７１は、吸着パッド６２、カバーガラス６３、チルトステージ６４及びθステージ６５を介してウェハ２５を撮像することができる。また、ウェハ２５は透明であるため、撮像部７１は、ウェハ２５を介して回路基板１０を撮像することができる（図５参照）。
【００６２】
取付部７２には、紫外線を照射する光照射部７３が設けられる。光照射部７３は、高さが撮像部７１と吸着ステージ６０との間に位置するように取付部７２に設けられている。光照射部７３は、水平方向（−Ｙ方向）に光を照射する。
【００６３】
図８（Ｂ）に示すように、ミラー７４（図８（Ａ）では図示省略）は、光照射部７３から照射された紫外光を反射する光学部品であり、光路を略９０度曲げる。ミラー７４は、撮像部７１の光路と重なる位置（図８（Ｂ）点線参照）と、撮像部７１の光路と重ならない位置（図８（Ｂ）実線参照）との間で水平方向に移動可能に設けられている（図８（Ｂ）矢印参照）。ミラー７４が撮像部７１の光路と重なる位置に配置された状態では、光照射部７３から照射された紫外光は、ミラー７４で反射して、回路基板１０及びウェハ２５に照射される。
【００６４】
図５の説明に戻る。検査部８０は、主として、複数のプローブ８１と、移動部８２と、を有する。複数のプローブ８１は、それぞれ電源８５（図９参照）に接続されている。また、プローブ８１は移動部８２に設けられている。移動部８２は、プローブ８１を、回路基板１０に設けられた配線パターン１１に当接する位置と、配線パターン１１に当接しない位置との間で上下方向に移動可能である。本実施の形態では、配線パターン１１が点灯検査用の電源パッド（図示省略）を有し、この電源パッドにプローブ８１を当接させる。
【００６５】
なお、本実施の形態では、検査部８０は、支持フレーム９０に取り付けられており、その位置は吸着ステージ６０の近傍であるが、検査部８０の位置及び配設形態はこれに限られない。プローブ８１が上下方向に移動可能に設けられていればよく、例えば、移動部８２がＸＹステージ５４に設けられていてもよい。
【００６６】
図９は、貼り合わせ装置２の電気的な構成を示すブロック図である。貼り合わせ装置２は、ＣＰＵ（Ｃｅｎｔｒａｌ Ｐｒｏｃｅｓｓｉｎｇ Ｕｎｉｔ）１５１と、ＲＡＭ（Ｒａｎｄｏｍ Ａｃｃｅｓｓ Ｍｅｍｏｒｙ）１５２と、ＲＯＭ（Ｒｅａｄ Ｏｎｌｙ Ｍｅｍｏｒｙ）１５３と、入出力インターフェース（Ｉ／Ｆ）１５４と、通信インターフェース（Ｉ／Ｆ）１５５と、メディアインターフェース（Ｉ／Ｆ）１５６と、を有し、これらはステージ５０、吸着ステージ６０、撮像部７１、検査部８０、電源８５、空気吸引装置９１、９２等と互いに接続されている。
【００６７】
ＲＡＭ１５２は、揮発性メモリである。ＲＯＭ１５３は、各種制御プログラム等が記憶されている不揮発性メモリである。ＣＰＵ１５１は、ＲＡＭ１５２、ＲＯＭ１５３に格納されたプログラムに基づいて動作し、各部の制御を行う。
【００６８】
ＣＰＵ１５１は、貼り合わせ装置２の各部を制御する制御部１５１ａの機能を有する。制御部１５１ａは、ＣＰＵ１５１が読み込んだ所定のプログラムを実行することにより構築される。
【００６９】
制御部１５１ａは、主として、アライメントを行う機能部と、加圧を行う機能部と、検査を行う機能部と、を有する。アライメントを行う機能部では、撮像部７１で吸着ステージ６０及びウェハ２５を介して回路基板１０を撮像して観察しながらチルトステージ５２、θステージ５３及びＸＹステージ５４を制御してヒートステージ５１を水平方向に移動させる。また、加圧を行う機能部では、Ｚ移動部５５を制御してヒートステージ５１を鉛直方向上方向（＋Ｚ方向）に移動させて回路基板１０とウェハ２５とを加圧する。このとき、ロードセル（図示省略）で加圧圧力を検知することで、制御部１５１ａは、最適な設定圧力に制御する。また、検査を行う機能部では、回路基板１０及びウェハ２５を加圧した状態のまま移動部８２を制御して、プローブ８１を配線パターン１１に当接させる。制御部１５１ａが行う処理については、後に詳述する。
【００７０】
ＣＰＵ１５１は、入出力インターフェース１５４を介して、キーボードやマウス等の入出力装置１６１を制御する。通信インターフェース１５５は、ネットワーク１６２を介して他の機器からデータを受信してＣＰＵ１５１に送信すると共に、ＣＰＵ１５１が生成したデータを、ネットワーク１６２を介して他の機器に送信する。
【００７１】
メディアインターフェース１５６は、記憶媒体１６３に格納されたプログラムやデータを読み取り、ＲＡＭ１５２に格納する。なお、記憶媒体１６３は、例えば、ＩＣカード、ＳＤカード、ＤＶＤ等である。なお、各機能を実現するプログラムは、例えば、記憶媒体１６３から読み出されて、ＲＡＭ１５２を介して貼り合わせ装置２にインストールされ、ＣＰＵ１５１によって実行される。
【００７２】
図９に示す貼り合わせ装置２の構成は、本実施形態の特徴を説明するにあたって主要構成を説明したのであって、例えば一般的な情報処理装置が備える構成を排除するものではない。貼り合わせ装置２の構成要素は、処理内容に応じてさらに多くの構成要素に分類されてもよいし、１つの構成要素が複数の構成要素の処理を実行してもよい。
【００７３】
次に、貼り合わせ装置２を用いて回路基板１０とウェハ２５とを貼り合わせる処理（工程３）について説明する。この貼り合わせ工程は、主として制御部１５１ａによって行われる。貼り合わせ工程では、複数のＬＥＤ２０が形成されたウェハ２５と回路基板１０とを貼り合わせて、ＬＥＤ２０を接続パターン上に固定する。
【００７４】
図１０は、貼り合わせ工程の処理の流れを示すフローチャートである。図１１は、貼り合わせ工程を模式的に示す図である。図１２は、貼り合わせ工程におけるプローブ８１の位置を模式的に示す図である。
【００７５】
１．アライメント工程（ステップＳ１００〜Ｓ１０６）
＜ステップＳ１００＞
まず、図１１（Ａ）に示すように、ＬＥＤ２０（図１１では図示省略）が下を向くように、ウェハ２５をステージ５０（ここでは、ヒートステージ５１）の上面５１ａに載置する。このとき、制御部１５１ａは、空気吸引装置９１により空気を吸引して、上面５１ａにウェハ２５を吸着して固定する。
【００７６】
次に、図１１（Ｂ）に示すように、制御部１５１ａは、Ｚ移動部５５を制御してヒートステージ５１を上方向（＋Z方向）に移動させ、ウェハ２５を吸着ステージ６０に近づける。そして、制御部１５１ａは、撮像部７１で吸着ステージ６０を介してウェハ２５を撮像して観察しながら、チルトステージ５２、θステージ５３及びＸＹステージ５４制御してヒートステージ５１（すなわちウェハ２５）を水平方向に移動させる。このとき、制御部１５１ａは、ウェハ２５に形成されたアライメントマークを撮像部７１の中央（光軸）に一致させるように、ウェハ２５を水平方向に移動させる。
【００７７】
＜ステップＳ１０２＞
制御部１５１ａは、ウェハ２５に形成されたアライメントマークが撮像部７１の光軸に一致したら、空気吸引装置９１による空気の吸引を切り、上面５１ａへのウェハ２５の吸着を解除する。また、制御部１５１ａは、空気吸引装置９２により真空吸着用接手６８を介して吸着部６９内部の空気を吸引して、吸着パッド６２にウェハ２５を吸着する。これにより、ＬＥＤ２０が下を向くように、ウェハ２５が吸着パッド６２に固定される。
【００７８】
＜ステップＳ１０４＞
次に、図１１（Ｃ）に示すように、制御部１５１ａは、Ｚ移動部５５を制御してヒートステージ５１を下方向（−Ｚ方向）に移動させ、配線パターン１１が上を向くように回路基板１０をステージ５０（ここでは、ヒートステージ５１）の上面５１ａに載置し、空気吸引装置９１により空気を吸引して、上面５１ａに回路基板１０を吸着して固定する。
【００７９】
＜ステップＳ１０６＞
図１１（Ｄ）に示すように、制御部１５１ａは、Ｚ移動部５５を制御してヒートステージ５１を＋Ｚ方向に移動させて、回路基板１０をウェハ２５に近づける。ただし、回路基板１０とウェハ２５とは当接していない。そして、制御部１５１ａは、撮像部７１で吸着ステージ６０及びウェハ２５を介して回路基板１０を撮像して観察しながら、チルトステージ５２、θステージ５３及びＸＹステージ５４を制御してヒートステージ５１（すなわち回路基板１０）を水平方向に移動させる。なお、ウェハ２５は透明であるため、ウェハ２５を介して回路基板１０を撮像可能である。
【００８０】
このとき、制御部１５１ａは、回路基板１０に形成されたアライメントマークを撮像部７１の中央（光軸）に一致させるように、回路基板１０を水平方向に移動させる。制御部１５１ａは、回路基板１０に形成されたアライメントマークが撮像部７１の光軸に一致したら、アライメント工程を終了する。これにより、回路基板１０とウェハ２５とが位置決めされた状態で略平行に配置される。
【００８１】
２．貼り合わせ工程
＜ステップＳ１０８＞
図１１（Ｅ）に示すように、制御部１５１ａは、Ｚ移動部５５を制御してヒートステージ５１を＋Ｚ方向に移動させることで、ヒートステージ５１及び吸着パッド６２で回路基板１０及びウェハ２５を挟んで回路基板１０及びウェハ２５の両側から圧力を加える。これにより、回路基板１０とウェハ２５とが加圧される。なお、加圧時には、図１２（Ａ）に示すように、プローブ８１は配線パターン１１（図１２では図示省略）に当接していない。
【００８２】
本実施の形態では、ヒートステージ５１及び吸着パッド６２で回路基板１０及びウェハ２５を挟んでいるため、加圧時に回路基板１０及びウェハ２５が湾曲せず、ウェハ２５の面全体を略均一に加圧して、ウェハ２５に形成された複数のＬＥＤ２０を一度に回路基板１０に固定することができる。また、例えば、回路基板１０やウェハ２５が湾曲すると、回路基板１０とウェハ２５との距離が近い部分に位置するＬＥＤ２０に過剰な力がかかり、ＬＥＤ２０の破壊やウェハ２５の割れにつながる恐れがある。それに対し、本実施の形態では、ウェハ２５の面全体を均等に加圧するため、ＬＥＤ２０の破壊、ＬＥＤ２０の不均一な点灯やウェハ２５の割れを防ぐことができる。
【００８３】
４．検査工程（ステップＳ１１０〜Ｓ１１８）
＜ステップＳ１１０＞
図１１（Ｆ）及び図１２（Ｂ）に示すように、制御部１５１ａは、ウェハ２５及び回路基板１０の両側から圧力を加えたまま、プローブ８１を−Ｚ方向に移動させてプローブ８１を配線パターン１１（図示省略）に当接させる。
【００８４】
＜ステップＳ１１２＞
制御部１５１ａは、電源８５から、プローブ８１を介して配線パターン１１に電流を印加する。これにより、ＬＥＤ２０が点灯する。
【００８５】
＜ステップＳ１１４＞
制御部１５１ａは、撮像部７１で撮像した画像に基づいてＬＥＤ２０がすべて点灯しているか否か確認する。貼り合わせ工程で問題が生じていない場合には、図１２（Ｃ）に示すように、すべてのＬＥＤ２０が点灯する。
【００８６】
＜ステップＳ１１６＞
全てのＬＥＤ２０が点灯しなかった場合（ステップＳ１１４でＮＯ）、つまり１つでも点灯しないＬＥＤ２０があった場合には、制御部１５１ａは、Ｚ移動部５５を制御してヒートステージ５１を−Ｚ方向に移動させて、回路基板１０とウェハ２５とを離す。
【００８７】
＜ステップＳ１１８＞
そして、制御部１５１ａは、図示しないブロワ等により塵埃等を吹き飛ばして、不具合を修正する。本実施の形態では、回路基板１０とウェハ２５とを接続する前（接着剤硬化前）に検査を行うため、回路基板１０とウェハ２５とを離すことができ、これにより不具合の修正が可能である。その後、制御部１５１ａは、処理をステップＳ１０６に戻す。
【００８８】
３．硬化工程
＜ステップＳ２００＞
全てのＬＥＤが点灯した場合（ステップＳ１１４でＹＥＳ）には、制御部１５１ａは、図１２（Ｄ）に示すように、移動部８２を制御してプローブ８１を配線パターン１１から離す。そして、制御部１５１ａは、回路基板１０及びウェハ２５の両側から圧力を加えたまま、図示しない加熱部によりヒートステージ５１全体を加熱することで、回路基板１０及びウェハ２５を加熱して接着剤４１を硬化させる。これにより、ＬＥＤ２０が回路基板１０に固定される。
【００８９】
なお、接着剤は、熱硬化性樹脂に限らず、紫外線硬化樹脂を用いることができる。紫外線硬化樹脂を用いる場合には、ミラー７４を撮像部７１の光路と重なる位置に移動させて、光照射部７３から紫外線を照射する。これにより、紫外線が回路基板１０及びウェハ２５に照射され、接着剤が硬化する。
【００９０】
５．加圧開放工程
＜ステップＳ２０２＞
制御部１５１ａは、空気吸引装置９２による空気の吸引をやめて吸着部６９内部に空気を戻し、吸着パッド６２からウェハ２５が離れるようにする。
【００９１】
＜ステップＳ２０４＞
図１１（Ｇ）に示すように、制御部１５１ａは、Ｚ移動部５５を制御してヒートステージ５１を−Ｚ方向に移動させて、回路基板１０にウェハ２５が接続されたものをヒートステージ５１と共に−Ｚ方向に移動させる。
【００９２】
＜ステップＳ２０６＞
最後に、制御部１５１ａは、空気吸引装置９１による空気の吸引をやめ、上面５１ａから回路基板１０が離れるようにする。そして、上面５１ａから回路基板１０を取り出す。以上が貼り合わせ工程の処理の流れである。
【００９３】
本実施の形態によれば、透明な吸着パッド６２及びカバーガラス６３と、筒状のチルトステージ６４及びθステージ６５を用いることで、撮像部７１で回路基板１０及びウェハ２５を直接観察することができる。そして、撮像部７１で回路基板１０及びウェハ２５を直接観察しながらアライメントを行うため、高い精度で位置合わせを行うことができる。また、略板状のヒートステージ５１及び吸着パッド６２に回路基板１０及びウェハ２５を挟んで加圧するため、面全体を略均一に加圧することができる。
【００９４】
また、本実施の形態によれば、プローブ８１を移動可能に設け、検査時にはプローブ８１と配線パターン１１とを当接させ、接着剤硬化時にはプローブ８１を配線パターン１１から離すことで、貼り合わせ装置２でＬＥＤの点灯確認を行うことができる。また、接着剤４１を硬化させて回路基板１０及びウェハ２５を接続する前にＬＥＤ２０の点灯を確認するため、点灯しなかったＬＥＤ２０が存在する場合に回路基板１０とウェハ２５とを分離し、不具合を修正することができる。そのため、表示装置１の製造時の歩留まりを向上させることができる。
【００９５】
なお、本実施の形態では、ステージ５０がＺ移動部５５を有しており、Ｚ移動部５５がヒートステージ５１を＋Ｚ方向又は−Ｚ方向に移動させたが、＋Ｚ方向又は−Ｚ方向に移動させるのはヒートステージ５１に限られない。例えば、吸着ステージ６０がＺ移動部を有し、このＺ移動部が吸着部６９を＋Ｚ方向又は−Ｚ方向に移動させてもよい。
【００９６】
また、本実施の形態では、ステージ５０がヒートステージ５１を有したが、ヒートステージ５１は必須ではない。接着剤に光硬化性樹脂を用いる場合には、貼り合わせ装置２は光照射部７３及びミラー７４を有していればよい。また、光照射部７３及びミラー７４は必須ではなく、接着剤に熱硬化性樹脂を用いる場合には、貼り合わせ装置２がヒートステージ５１を有していればよい。
【００９７】
また、本実施の形態では、回路基板１０やウェハ２５に形成されたアライメントマークをそれぞれ撮像部７１の中央（光軸）に一致させることでアライメントを行ったが、アライメントマークは必須ではない。例えば、撮像部７１が回路基板１０及びウェハ２５を撮像し、ウェハ２５に設けられたＬＥＤ２０の位置と回路基板１０の配線パターン１１の位置とが一致するようにヒートステージ５１を水平方向に移動させてアライメントを行ってもよい。本実施の形態では、撮像部７１が直接回路基板１０やウェハ２５を観察できるため、アライメントマークがなくても回路基板１０とウェハ２５との位置合わせが可能である。特に、撮像部７１がズーム光学系を有し、撮像部７１がＸ方向及びＹ方向に移動可能に設けられているため、回路基板１０及びウェハ２５の一部を拡大して撮像することで、正確なアライメントが可能である。
【００９８】
また、本実施の形態では、アライメントマークがウェハ２５の中心についているが、アライメントマークを付ける位置は中心に限られない。また、アライメントマークは、１つでもよいし、複数でもよい。アライメントマークを複数つけることで、高さだけでなく、傾きずれや回転ずれも精度よくアライメントできる。特に、アライメントマークを３個以上つけることが好ましい。
【００９９】
＜第２の実施の形態＞
本発明の第２の実施の形態は、撮像部７１以外の撮像部もアライメントに用いる形態である。以下、第２の実施の形態に係る貼り合わせ装置３について説明する。第１の実施の形態と同一の部分については、同一の符号を付し、説明を省略する。また、貼り合わせ装置３を用いて製造される表示装置１は第１の実施の形態と同様であり、表示装置１の製造方法も同様であるため、説明を省略する。
【０１００】
図１３は、貼り合わせ装置３の概略を示す図である。貼り合わせ装置３は、ウェハ２５と回路基板１０とを貼り合わせて、ＬＥＤ２０と配線パターン１１とを電気的に接続する貼り合わせ工程（工程３）で用いる貼り合わせ装置であり、主として、ステージ５０と、吸着ステージ６０と、撮像部７１、７６、７７と、検査部８０と、支持フレーム９０と、を有する。
【０１０１】
撮像部７７は、回路基板１０の画像を撮像するカメラであり、支持フレーム９０の上面に設けられている。撮像部７６は、ウェハ２５の画像を撮像するカメラであり、ＸＹステージ５４に設けられている。撮像部７６、７７は、一般的なカメラを用いることができるため、説明を省略する。
【０１０２】
図１４は、貼り合わせ工程の処理の流れを示すフローチャートである。図１５は、貼り合わせ工程を模式的に示す図である。なお、第１の実施の形態と第２の実施の形態との差異はアライメント工程及び貼り合わせ工程のみであるため、アライメント工程及び貼り合わせ工程以外の工程については詳細な説明を省略する。
【０１０３】
１．アライメント工程（ステップＳ１０２〜Ｓ１０７）
＜ステップＳ１０２＞
まず、図１５（Ａ）に示すように、空気吸引装置９２により真空吸着用接手６８を介して吸着部６９内部の空気を吸引して、吸着パッド６２にＬＥＤ２０（図１５では図示省略）が下を向くようにウェハ２５を吸着する。
【０１０４】
＜ステップＳ１０３＞
次に、制御部１５１ａは、撮像部７６でウェハ２５を撮像して観察しながら、ウェハ２５の傾き、回転ずれを調整する。つまり、制御部１５１ａは、チルトステージ６４及びθステージ６５を制御して、ウェハ２５に形成されたアライメントマークを撮像部７１の中央（光軸）に一致させるように、ウェハ２５を水平方向に移動させる。
【０１０５】
＜ステップＳ１０４＞
次に、制御部１５１ａは、配線パターン１１が上を向くように回路基板１０をステージ５０（ここでは、ヒートステージ５１）の上面５１ａに固定する。
【０１０６】
＜ステップＳ１０５＞
そして、制御部１５１ａは、撮像部７７で回路基板１０を撮像して観察しながら、回路基板１０の傾き、回転ずれを調整する。つまり、チルトステージ５２、θステージ５３及びＸＹステージ５４を制御してヒートステージ５１（すなわち回路基板１０）を水平方向に移動させる。このとき、制御部１５１ａは、回路基板１０に形成されたアライメントマークを撮像部７７の中央（光軸）に一致させるように、回路基板１０を水平方向に移動させる。
【０１０７】
＜ステップＳ１０７＞
図１５（Ｂ）に示すように、制御部１５１ａは、ＸＹステージ５４を制御して、回路基板１０に形成されたアライメントマークの位置がステップＳ１０３における撮像部７６の光軸の位置と略一致するように、ヒートステージ５１（すなわち回路基板１０）を水平方向に移動させる。これにより、回路基板１０とウェハ２５とが位置決めされた状態で略平行に配置される。
【０１０８】
２．貼り合わせ工程
＜ステップＳ１０９＞
図１５（Ｃ）に示すように、制御部１５１ａは、Ｚ移動部５５を制御してヒートステージ５１を＋Ｚ方向に移動させる。また、制御部１５１ａは、撮像部７１で回路基板１０及びウェハ２５を撮像し、回路基板１０とウェハ２５との位置ずれがある場合には、θステージ５３及びＸＹステージ５４を制御してヒートステージ５１（すなわち回路基板１０）を水平方向に移動させて、回路基板１０のアライメントマークとウェハ２５のアライメントマークとを一致させる。このときには、回路基板１０とウェハ２５とは当接していない。
【０１０９】
回路基板１０のアライメントマークとウェハ２５のアライメントマークとが一致したら、図１５（Ｄ）に示すように、ヒートステージ５１及び吸着パッド６２で回路基板１０及びウェハ２５を挟んで回路基板１０及びウェハ２５の両側から圧力を加える。
【０１１０】
これにより、回路基板１０とウェハ２５とが加圧される。ヒートステージ５１及び吸着パッド６２で回路基板１０及びウェハ２５を挟んでいるため、加圧時に回路基板１０及びウェハ２５が湾曲せず、ウェハ２５の面全体を略均一に加圧して、ウェハ２５に形成された複数のＬＥＤ２０を一度に回路基板１０に固定することができ、かつ、ＬＥＤ２０の破壊、ＬＥＤ２０の不均一な点灯やウェハ２５の割れを防ぐことができる。
【０１１１】
４．検査工程（ステップＳ１１０〜Ｓ１１８）
＜ステップＳ１１０、Ｓ１１２＞
図１５（Ｅ）に示すように、制御部１５１ａは、ウェハ２５及び回路基板１０の両側から圧力を加えたまま、プローブ８１を−Ｚ方向に移動させてプローブ８１を配線パターン１１に当接させ、プローブ８１を介して配線パターン１１に電源８５から電流を印加する。
【０１１２】
＜ステップＳ１１４〜Ｓ１１８＞
制御部１５１ａは、撮像部７１が撮像した画像に基づいてＬＥＤ２０がすべて点灯するか否か確認する。全てのＬＥＤ２０が点灯しなかった場合（１つでも点灯しないＬＥＤ２０があった場合）には、制御部１５１ａは、Ｚ移動部５５を制御してヒートステージ５１を−Ｚ方向に移動させて、回路基板１０とウェハ２５とを離し、不具合を修正する。その後、制御部１５１ａは、処理をステップＳ１０６に戻す。
【０１１３】
３．硬化工程
＜ステップＳ２００＞
全てのＬＥＤ２０が点灯した場合には、制御部１５１ａは、移動部８２によりプローブ８１を配線パターン１１から離し、回路基板１０及びウェハ２５の両側から圧力を加えたまま、図示しない加熱部によりヒートステージ５１全体を加熱することで、回路基板１０及びウェハ２５を加熱して接着剤４１を硬化させる。これにより、ＬＥＤ２０が回路基板１０に固定される。
【０１１４】
５．加圧開放工程
＜ステップＳ２０２〜Ｓ２０６＞
制御部１５１ａは、空気吸引装置９２による空気の吸引をやめて、吸着パッド６２からウェハ２５が離れるようにする。そして、制御部１５１ａは、図１５（Ｆ）に示すように、Ｚ移動部５５を制御してヒートステージ５１を−Ｚ方向に移動させて、回路基板１０にウェハ２５が接続されたものをヒートステージ５１と共に−Ｚ方向に移動させる。最後に、制御部１５１ａは、空気吸引装置９１による空気の吸引をやめ、上面５１ａから回路基板１０が離れるようにする。そして、上面５１ａから回路基板１０を取り出す。
【０１１５】
本実施の形態によれば、撮像部７６、７７を用いるため、アライメント処理を簡潔に行うことができる。
【０１１６】
なお、本実施の形態では、撮像部７６、７７を用いたが、撮像部７６は必須ではない。撮像部７６を用いない場合には、ステップＳ１００（図１０参照）、Ｓ１０２（図１０参照）、Ｓ１０４（図１４参照）、Ｓ１０５（図１４参照）の順で処理を行うようにすればよい。
【０１１７】
以上、この発明の実施形態を図面を参照して詳述してきたが、具体的な構成はこの実施形態に限られるものではなく、この発明の要旨を逸脱しない範囲の設計変更等も含まれる。また、上述した各実施形態や変形例として説明した構成を適宜組み合わせた構成を採用することが可能である。
【０１１８】
特に、上記実施の形態では、回路基板１０とウェハ２５とを貼り合わせる貼り合わせ装置２、３について説明したが、貼り合わせ装置２、３が貼り合わせる対象（第1部材、第2部材に相当）は回路基板１０及びウェハ２５に限られず、略板状の様々な部材同士の貼り合わせに貼り合わせ装置２、３を用いることができる。また、上記実施の形態では、ヒートステージ５１に回路基板１０を固定し、吸着パッド６２にウェハ２５を固定したが、ヒートステージ５１にウェハ２５を固定し、吸着パッド６２に回路基板１０を固定してもよい。
【０１１９】
また、本発明において、「略」とは、厳密に同一である場合のみでなく、同一性を失わない程度の誤差や変形を含む概念である。例えば、略平行とは、厳密に平行の場合には限られない。また、例えば、単に平行、直交等と表現する場合において、厳密に平行、直交等の場合のみでなく、略平行、略直交等の場合を含むものとする。
【符号の説明】
【０１２０】
１        ：表示装置
２、３    ：貼り合わせ装置
１０      ：回路基板
１１      ：配線パターン
１２      ：接続パターン
２０      ：ＬＥＤ
２２      ：ｐ電極
２３      ：ｎ電極
２５      ：ウェハ
３０      ：蛍光発光層
３０Ｂ    ：青色蛍光発光層
３０Ｇ    ：緑色蛍光発光層
３０Ｒ    ：赤色蛍光発光層
３１      ：隔壁
３２      ：平坦化膜
３３      ：金属膜
４０      ：駆動回路
４１      ：接着剤
４３      ：リジットフレキシブル基板
５０      ：ステージ
５１      ：ヒートステージ
５１ａ    ：上面
５２      ：チルトステージ
５３      ：θステージ
５４      ：ＸＹステージ
５５      ：Ｚ移動部
６０      ：吸着ステージ
６１      ：円筒形ブラケット
６１ａ    ：凹部
６２      ：吸着パッド
６２ａ    ：孔
６２ｂ    ：底面
６３      ：カバーガラス
６４      ：チルトステージ
６５      ：θステージ
６８      ：真空吸着用接手
６９      ：吸着部
７１、７６、７７：撮像部
７２      ：取付部
７３      ：光照射部
７４      ：ミラー
８０      ：検査部
８１      ：プローブ
８２      ：移動部
８５      ：電源
９０      ：支持フレーム
９１、９２：空気吸引装置
１０１、１０２、１０３、１０４、１０５、１０６：マスク
１５１    ：ＣＰＵ
１５１ａ  ：制御部
１５２    ：ＲＡＭ
１５３    ：ＲＯＭ
１５４    ：入出力インターフェース
１５５    ：通信インターフェース
１５６    ：メディアインターフェース
１６１    ：入出力装置
１６２    ：ネットワーク
１６３    ：記憶媒体
【図１】
2020202252.tif 000003
【図２】
2020202252.tif 000004
【図３】
2020202252.tif 000005
【図４】
2020202252.tif 000006
【図５】
2020202252.tif 000007
【図６】
2020202252.tif 000008
【図７】
2020202252.tif 000009
【図８】
2020202252.tif 000010
【図９】
2020202252.tif 000011
【図１０】
2020202252.tif 000012
【図１１】
2020202252.tif 000013
【図１２】
2020202252.tif 000014
【図１３】
2020202252.tif 000015
【図１４】
2020202252.tif 000016
【図１５】
2020202252.tif 000017